(57)【特許請求の範囲】
【請求項１】
家具本体と、前記家具本体に対して接近位置と離間位置とを取り得るように移動可能に設けた支持台とを具備してなる家具であり、
前記支持台が、配線類を具備する電気機器等の被支持体を載せ置くためのものであり、前記配線類の一端部側を当該支持台側に設けた第１の保持手段により一定高さ位置に保持しているとともに他端部側を前記家具本体側に設けた第２の保持手段により一定高さ位置に保持されている状態で前記接近位置と離間位置の間で移動するようにし、
前記接近位置で支持台と対向する家具本体との間に配線類を収納するための配線収納空間を形成し得るように構成し、
前記支持台の後面に、前記接近位置で支持台と家具本体との間に介在して前記配線収納空間を形成する突出部を設け、当該突出部を家具本体に突き当てることにより前記配線収納空間を形成するようにし、
前記第１の保持手段及び前記第２の保持手段の高さ寸法を前記支持台の移動距離の１／２よりも大きく設定していることを特徴とする家具。
【請求項２】
家具本体に対して接近位置と離間位置とを取り得るように移動可能に設けてある支持台であって、
配線類を具備している電気機器等の被支持体を載せ置くためのものであり、前記配線類を一定高さ位置に保持する第１の保持手段を具備し、
前記接近位置で家具本体との間に配線類を収納するための配線収納空間を形成し得るように構成し、
後面に、前記接近位置で家具本体との間に介在して前記配線収納空間を形成する突出部を設け、当該突出部を家具本体に突き当てることにより前記配線収納空間を形成するようにし、
前記第１の保持手段の高さ寸法を前記接近位置と前記離間位置との移動距離の１／２よりも大きく設定していることを特徴とする支持台。
【請求項３】
第１の保持手段が、前記被支持体を載せ置くための支持台本体から起立した複数の支柱と、これら支柱の一定高さ位置に架設した横架部と、この横架部に設けた前記配線類を保持する保持部とを具備していることを特徴とする請求項１記載の家具。
【請求項４】
配線類を配線挿通孔に挿通することにより少なくとも当該配線類の長手方向に沿った一部を略包囲する配線ダクトを具備してなり、この配線ダクトの一端部側を前記第１の保持手段に、他端部側を第２の保持手段に保持させることにより、前記配線類を前記第１、第２の保持手段に保持させるようにしていることを特徴とする請求項１又は３記載の家具。
【請求項５】
前記突出部の後面側に、緩衝部材を設けていることを特徴とする請求項１、３又は４記載の家具。
【発明の詳細な説明】
【０００１】
【発明の属する技術分野】
本発明は、オフィス等で好適に利用される家具及び支持台に関するものである。
【０００２】
【従来の技術】
従来から、例えばパソコン等のＯＡ機器を載せ置いて机の下に配置する支持台がある。この支持台は、通常、前記机の天板下空間に配置される収納位置と、机の天板下空間から前方に引き出して使用される引出し位置との間で移動可能なものである。また、この支持台に載せ置いたＯＡ機器は、電気機器であるため電気回線等の配線類を具備しており、この配線類の一端部側は、壁面に設けた電源等に接続されている。
【０００３】
【発明が解決しようとする課題】
しかしながら、前記配線類は、通常、机と支持台との間で、なんら特別な手段によって保持されているわけではなく床面にそのまま放置されている。そのため、前記支持台を収納位置と引出し位置の間で移動させる場合には、前記配線類が床面を引き摺られて埃まみれになったり、他の機器や家具等に引っ掛かったり、利用者や支持台が踏み付けたりして支持台の円滑な移動動作を妨げたりするという不具合があった。
【０００４】
【課題を解決するための手段】
上記課題を解決するために、本発明は、家具本体と、前記家具本体に対して接近位置と離間位置とを取り得るように移動可能に設けた支持台とを具備してなる家具において、前記支持台が、配線類を具備する電気機器等の被支持体を載せ置くためのものであり、前記配線類の一端部側を当該支持台側に設けた第１の保持手段により一定高さ位置に保持しているとともに他端部側を前記家具本体側に設けた第２の保持手段により一定高さ位置に保持されている状態で前記接近位置と離間位置の間で移動ようにし、前記接近位置で支持台と対向する家具本体との間に配線類を収納するための配線収納空間を形成し得るように構成し、前記支持台の後面に、前記接近位置で支持台と家具本体との間に介在して前記配線収納空間を形成する突出部を設け、当該突出部を家具本体に突き当てることにより前記配線収納空間を形成するようにし、前記第１の保持手段及び前記第２の保持手段の高さ寸法を前記支持台の移動距離の１／２よりも大きく設定していることを特徴とする。
また、本発明の支持台は、家具本体に対して接近位置と離間位置とを取り得るように移動可能に設けてあるものであって、配線類を具備している電気機器等の被支持体を載せ置くためのものであり、前記配線類を一定高さ位置に保持する第１の保持手段を具備し、前記接近位置で家具本体との間に配線類を収納するための配線収納空間を形成し得るように構成し、後面に、前記接近位置で家具本体との間に介在して前記配線収納空間を形成する突出部を設け、当該突出部を家具本体に突き当てることにより前記配線収納空間を形成するようにし、前記第１の保持手段の高さ寸法を前記接近位置と前記離間位置との移動距離の１／２よりも大きく設定していることを特徴とする。
【０００５】
このような構成のものであると、前記支持台を接近位置と離間位置との間で移動させる場合に、配線類が床面を引き摺られる等して邪魔になることを有効に防止して支持台の移動動作を円滑に行うことが可能となる。具体的に説明すると、支持台の移動中に、配線類は一定高さ位置で支持台と家具本体との間に保持されていることになるため、配線類が床面上を引き摺られたり、他の機器や家具等に引っ掛かったり、利用者や支持台が踏みつけて支持台の円滑な移動動作を妨げたり、支持台が配線類を踏みつけたまま移動することにより引き起こされる配線類の破断等を防止することができる。
【０００６】
支持台が家具本体に近接した接近位置でも両者間に配線類が挟まったり絡まったりすることなく良好に収納されるとともに、接近位置から離間位置へと支持台を移動させる場合にもスムーズに前記配線類を引き出せるようにするには、接近位置で支持台と対向する家具本体との間に配線類を収納するための配線収納空間を形成し得るように構成してあることが望ましい。
【０００８】
簡単な構成で配線類を一定高さ位置に確実に保持するには、第１の保持手段が、前記被支持体を載せ置くための支持台本体から起立した複数の支柱と、これら支柱の一定高さ位置に架設した横架部と、この横架部に設けた前記配線類を保持する保持部とを具備していることが望ましい。
【０００９】
好適な実施の形態としては、配線類を配線挿通孔に挿通することにより少なくとも当該配線類の長手方向に沿った一部を略包囲する配線ダクトを具備してなり、この配線ダクトの一端部側を前記第１の保持手段に、他端部側を第２の保持手段に保持させることにより、前記配線類を前記第１、第２の保持手段に保持させるようにしているものが挙げられる。また、前記突出部の後面側に、緩衝部材を設ける態様も望ましい。
【００１０】
【発明の実施の形態】
以下、本発明の一実施の形態について図面を参照して説明する。
【００１１】
本実施の形態では、本発明の構成を、図１に示すサーバラックＲに適用した場合について説明する。このサーバラックＲは、サーバラック本体１と、このサーバラック本体１の下端部に配置されサーバラック本体１とは独立して移動可能なサーバトラックと称される支持台２とを具備している。
【００１２】
先ず、前記サーバラック本体１について簡単に説明すると、このサーバラック本体１は、図示しない梁と枠体とを介して自立される左右一対の側部支持体１１の間に天板１２、上棚１３及び中棚１４等を取り付け、必要に応じて図示しない配線ダクト等を取り付けられるように構成したもので、前記天板１２、上棚１３、中棚１４に図示しないディスプレイやキーボード等を配置して使用する。
【００１３】
支持台２は、配線類Ｈを具備してなる電気機器等の被支持体たるサーバＳＶ等を載せ置くためのものであり、前記サーバラック本体１の側部支持体１１の下端部を構成し対向配置される一対のベース１５間において床面Ｆに近接するように配置される。そして、この支持台２は、サーバラック本体１の天板１２の下方に収納されて前記サーバラック本体１に最も接近する接近位置たる収納位置Ｐ（図５参照）と、メンテナンス等のために前方へ引き出されて前記サーバラック本体１から最も離間する離間位置たる引出し位置Ｑ（図６参照）とを取り得るものである。この支持台２は、図１〜図６に示すように、前記サーバＳＶを載せ置く平面視略矩形状の支持台本体２１と、この支持台本体２１を床面Fに対して移動可能に支持するキャスタ２２と、選択的に床面Ｆに接地して前記支持台本体２１を所定位置に保持する接地体２３とを具備している。
【００１４】
支持台本体２１は、一枚の板金素材を塑性変形加工することにより形成した略矩形状の頂板２１１、前板２１２、後板２１３、側板２１４及び底板（図示せず）により構成されるとともに、この支持台本体２１の下向面である頂板２１１の底面に沿わせて巾方向の略全域に亘る補強桟（図示せず）を、前端部、後端部及び奥行方向の中央部に溶接等適宜の手段で取り付けたものである。また、前記頂板２１１には、当該頂板２１１を上下に貫通するスリット２１１ａを巾方向に所定間隔で開口し、このような複数のスリット２１１ａを前後４列に整列させている。さらに、前記前板２１２には、移動時に利用者が把持するための把持部２４が巾方向に略沿って取り付けてある。この把持部２４は、前記前板２１２の巾方向に沿った複数箇所に設けた取付板ｔを介して取り付けた円柱状のものである。
【００１５】
このような構成のものにおいて、本実施の形態では、前記支持台２とサーバラック本体１との間に配線調節機構３を設けて、前記支持台２を収納位置Ｐと引出し位置Ｑとの間で移動させる場合に、配線類Ｈが支持台２の円滑な移動動作を妨げることを防止するようにしている。
【００１６】
配線調節機構３は、前記配線類Ｈの一端部ｈ１側を一定高さ位置に保持するように前記支持台２側に設けた第１の保持手段４と、前記配線類Hの他端部ｈ２側を一定高さ位置に保持するように前記サーバラック本体１側に設けた第２の保持手段５とを具備してなる。本実施の形態では、この配線調節機構３は、支持台２がサーバラック本体１から最も離間した引出し位置Ｑで第１、第２の保持手段４、５間に配線類Ｈが略張った状態となり、最も接近した収納位置Ｐで第１、第２の保持手段４、５間に撓んだ状態で保持されるように前記配線類Ｈを略固定状態で保持するようにし、前記引出し位置Ｑで第１、第２の保持手段４、５間に確保した配線類Ｈの余長分を利用して前記支持台２を収納位置Ｐと引出し位置Ｑとの間で円滑に移動させるようにしている。
【００１７】
第１の保持手段４は、前記支持台本体２１の後端部側に起立して設けた左右一対の支柱４１と、これら左右の支柱４１の上端部４１ａ間に架設した横架部４２と、前記横架部４２に設けてあり配線類Ｈを略固定状態で保持する保持部４３とを具備している。前記支柱４１は、横断面略方形状のもので、その後面には、収納位置Ｐで前記支持台２とサーバラック本体１との間に介在して両者１、２間に配線収納空間Ｓを形成する空間形成部たる突出部４４が設けてある。この突出部４４は、一枚の板金素材を側面視台形状に折り曲げることにより形成したものである。そして、この突出部４４の後面側には、前記支持台２を引出し位置Ｑから収納位置Pへと移動させる場合に、優先してサーバラック本体１の対応する位置にある梁１７に突き当って両者１、２間の衝突を防止するためのゴム等の合成樹脂製の緩衝部材４５が設けてある。なお、前記支柱４１は、支持台本体２１の頂板２１１の後端部２１１ａよりも若干前方よりに設けてあり、前記配線収納空間Ｓは、前記支持台２が、サーバラック本体１に最も近接した収納位置Ｐで前記支柱４１と前記サーバラック本体１の梁１６、１７との間に形成される。また、前記横架部４２は、横断面円形状の丸パイプ部材であり、巾方向に沿った適宜箇所に配線類Ｈを保持するための前記保持部４３を有している。この保持部４３は、前記横架部４２の上面から起立した起立部４３ａと、前記横架部４２と略平行に延出する水平部４３ｂとから構成される逆Ｌ字形状のものであり、前記水平部４３ｂと横架部４２との間に配線類Ｈを挟み込んで略固定状態で保持するものである。なお、この第１の保持手段４は、前記支柱４１の下端部側に設けた左右一対の略コ字形部材４６を前記支持台本体２１の後端部側にビス等の取付具を利用して取り付けることにより前記支持台本体２１に取り付けてある。
【００１８】
第２の保持手段５は、サーバラック本体１の左右一対の側部支持体１１の下端部１１ａ側を連結する複数の梁１６、１７のうち、その上面が前記第１の配線保持手段４の横架部４２の高さ位置と略等しく設定されている略コ字形状の梁１６に設けてある。具体的には、前記梁１６の頂壁１６ａから上方へ突出した起立部５ａと、前記頂壁１６ａと略平行に延出する水平部５ｂとから構成される逆Ｌ字形状のものである。そして、前記第１の保持手段４の保持部４３と同様に、水平部５ｂと頂壁１６ａとの間に配線類Ｈを挟み込んで略固定状態で保持するようにしている。
【００１９】
なお、図６に示すように、これら第１、第２の保持手段４、５が配線類Ｈを保持する高さ位置の床面Ｆからの高さ寸法Ａは、支持台２が収納位置Ｐから引出し位置Ｑへと移動する際の移動距離Ｂの１／２よりも若干大きくなるように設定してある。
【００２０】
このような構成のものにおいて、前記支持台２を図５に示す収納位置Ｐと図６に示す引出し位置Ｑとの間で移動させる場合について説明する。先ず、収納位置Ｐでは、配線類Ｈは、図５に示すように、一定高さ位置にある第１、第２の保持手段４、５間に撓んだ状態で保持されることとなる。特に、本実施の形態では、両保持手段４、５の高さ寸法Ａが前記支持台２の移動距離Ｂの１／２よりも若干大きく設定してあるので、この収納位置Ｐで配線類Ｈは床面F上に接地することなく前記配線収納空間Ｓに収納される。一方、この収納位置Ｐから前記支持台２を図５中矢印で示すようにサーバラック本体１の前方へ引き出すと、撓んでいた配線類Ｈが一定高さ位置に保持されたまま引き伸ばされることにより、配線類Ｈが床面Fを這って絡まったりすることなく、前記支持台２はスムーズに図６中実線に示す引出し位置Ｑへと引き出されることになる。
【００２１】
逆に、引出し位置Ｑから収納位置Ｐへと支持台２を移動させる場合には、引き出し位置Ｑで略張った状態で第１、第２の保持手段４、５間に保持されていた配線類Ｈを除々に撓ませながら、支持台２をサーバラック本体１へと接近させる。前述したように、本実施の形態では、両保持手段４、５の高さ寸法Ａを前記支持台２の移動距離Bの１／２より若干大きくなるように設定しているので、サーバラック本体１に支持台２が最も接近する収納位置Ｐ付近まで前記支持台２が近接しても配線類Ｈは床面F上に接地することなく保持されるため、余分になって撓んでいく配線類Hが絡まったり、支持台２が踏みつけて当該支持台２の円滑な移動動作を妨げたりすることを有効に防止することが可能である。
【００２２】
このような構成のものであると、サーバＳＶを載せ置いた支持台２をサーバラック本体１に対して収納位置Ｐと引出し位置Ｑとの間で移動させる場合に、配線類Ｈが床面Fを這う等して邪魔になることを有効に防止して支持台２の移動動作を円滑に行うことが可能となる。具体的には、収納位置Ｐと引出し位置Ｑとの間で、配線類Ｈは一定高さ位置で保持されることになるため、移動中に配線類Ｈが床面Ｆ上を引き摺られたり、他の機器や家具等に引っ掛かったり、利用者や支持台２自身が踏みつけて支持台２の円滑な移動動作を妨げたり、支持台２で踏みつけたまま移動させることにより配線類Ｈが破断してしまったりすること等を防止することができる。
【００２３】
収納位置Ｐで支持台２とサーバラック本体１との間に配線類Ｈを収納する配線収納空間Ｓを形成し得るように構成してあるので、支持台２がサーバラック本体１に最も接近した収納位置Ｐでもサーバラック本体１と支持台２間に配線類Ｈが挟まったり絡まったりすることなく収まり、収納位置Ｐから引出し位置Ｑへと支持台２を移動させる場合にもスムーズに配線類Hが引き出されることになる。
【００２４】
支持台２が、収納位置Ｐで支持台本体２１と対向するサーバラック本体１との間に介在して前記配線収納空間Ｓを形成する突出部４４を具備しているので、簡単な構成で前記配線収納空間Ｓを形成することができる。
【００２５】
引出し位置Ｑから収納位置Ｐへと移動させる際に優先して前記サーバラック本体１の梁１７と突き当って支持台２とサーバラック本体１との衝突を防止する緩衝部材４５を具備しているので、誤って支持台２をサーバラック本体１に勢いよく接近させた際等に支持台２がサーバラック本体１に衝突する等して引き起こされる損傷等を有効に防止することができる。
【００２６】
第１の保持手段４が、支持台本体２１から起立した左右一対の支柱４１と、これら支柱４１の上端部４１ａ間の一定高さ位置に架設した横架部４２と、前記配線類Ｈを一定高さ位置で保持する保持部４３とを具備しているので、簡単な構成で配線類Hを一定高さ位置に確実に保持して出し入れすることができる。
【００２７】
なお、本発明における構成は、以上説明したものに限定されないのは勿論である。例えば、配線類Ｈを保持させる方法は、上述したものに限定されず、図７に示すようなものであってもよい。具体的には、配線類Ｈを隠蔽、保護し案内するべく、少なくともその一部を長手方向に沿って略包囲するように設けた配線ダクト６の配線挿通孔（図示せず）に前記配線類Ｈを挿入した状態で、前記配線ダクト６の両端部６ａ、６ｂを前記第１、第２の保持手段４、５に保持させるようにする。前記配線ダクト６は、配線挿通孔を有した配線包囲板６１を複数枚順次ヒンジ６２を介して連結しておき、前記各ヒンジ６２を順次逆方向に折り曲げることによって、全ての配線包囲板６１を厚み方向に重合させることができるように構成したもので、使用時には、配線類Ｈを配線挿通孔に挿入させた後に、図７に示すように各配線包囲板６１を離間するように引き延ばすと、ヒンジ６２を介して連結されている配線包囲板６１がジグザグに伸長して配線類Ｈを包囲することになる。そして、この配線ダクト６の一端部６ａ側を前記第１の保持手段４の横架部４２にマジックテープ等の固定手段７を利用して固定するとともに、他端部６ｂ側を梁１６の上端部に取り付けたフック部材８に配線包囲板６１の配線挿通孔を引っ掛けることにより固定するようにしている。この場合、配線類Ｈ自体は、前記配線ダクト６に対して固定されていないが、両者間に生じる摩擦によって配線類Ｈは殆ど配線ダクト６に対して移動せず、位置ずれを生じないような構成となっている。
【００２８】
なお、本明細書中でいうところの保持という概念には、配線類を完全に固定する場合や、移動可能に保持している場合や、巾方向への移動は禁止するが支持台の引出し方向へは移動可能に支持している場合等も含めるものである。さらに、第１、第２の保持手段４、５の構成は、前述したものに限定されず、配線類Ｈを一定高さ位置に保持し得るものであれば、どのようなものであってもよい。また、家具本体と支持台も前述したようなサーバラックやサーバトラックに限定されず、家具本体が机本体であり支持台が引出し等であってもよいのは勿論である。さらに、家具本体が、机、棚、パネル等であってもよい。また、本実施の形態では、第１、第２の保持手段の高さ位置が略同一の高さ寸法を有するものであったが、これに限定されず、両者が一定高さ位置を有するものであれば、それらの高さは略同一でなくてもよい。その他の構成も本発明の趣旨を逸脱しない範囲で種々変形が可能である。
【００２９】
【発明の効果】
本発明は、以上説明したような構成で実施され以下に記載されるような効果を奏する。
【００３０】
すなわち、本発明は、前記家具本体に対して接近位置と離間位置とを取り得るように移動可能に設けた支持台に、当該支持台に載せ置いた電気機器等の被支持体の配線類の一端部側を一定高さ位置に保持するように第１の保持手段を設けるとともに、家具本体側にも前記配線類の他端部側を一定高さ位置に保持するように第２の保持手段を設けているので、支持台を家具本体に対して移動させる場合に、配線類が床面を引き摺られる等して邪魔になることを有効に防止して支持台の移動動作を円滑に行うことが可能となる。
【００３１】
接近位置で支持台と対向する家具本体との間に配線類を収納する配線収納空間を形成し得るように構成してあるならば、支持台が家具本体に近接した接近位置でも家具本体と支持台間に配線類が挟まったり絡まったりすることなく良好に収納され、この接近位置から離間位置へと支持台を移動させる場合にもスムーズに配線類が引き出されることになる。
【００３２】
支持台が、接近位置で対向する家具本体との間に介在して前記配線収納空間を形成する空間形成部を具備しているならば、支持台を接近位置に配置した際に、簡単且つ確実に前記配線収納空間を形成することが可能である。
【００３３】
第１の保持手段が、被支持体を載せ置く支持台本体から起立した複数の支柱と、これら支柱の一定高さ位置に架設した横架部と、前記配線類を一定高さ位置で保持する保持部とを具備しているならば、簡単な構成で配線類を一定高さ位置に確実に保持することができる。
【００３４】
配線類を配線挿通孔に挿通することにより少なくとも当該配線類の長手方向に沿った一部を略包囲する配線ダクトを具備してなり、この配線ダクトの一端部側を前記第１の保持手段に、他端部側を第２の保持手段に保持させることにより、前記配線類を前記第１、第２の保持手段に保持させるようにしているならば、配線類を外部から好適に隠蔽且つ保護した状態で、配線類が床面上を引き摺られたりして支持台の円滑な移動動作を妨げることを有効に防止することができる。
【図面の簡単な説明】
【図１】本発明の一実施の形態における支持台及びサーバラックを示す全体斜視図。
【図２】同支持台を示す斜視図。
【図３】同支持台の平面図。
【図４】同支持台の正面図
【図５】同作用を説明するための一部を破断した側面図。
【図６】同作用を説明するための一部を破断した側面図。
【図７】本実施の形態における一変形例を示す一部を破断した側面図。
【符号の説明】
１…家具本体（サーバラック本体）
２…支持台
２１…支持台本体
４…第１の保持手段
４１…支柱
４２…横架部
４３…保持部
４４…空間形成部（突出部）
５…第２の保持手段
６…配線ダクト
６ａ…一端部
６ｂ…他端部
Ｐ…接近位置（収納位置）
Ｑ…離間位置（引出し位置）
Ｒ…サーバラック
Ｈ…配線類
ｈ１…一端部
ｈ２…他端部
Ｓ…配線収納空間
ＳＶ…被支持体（サーバ）
【図１】
0003866030.tif 000002
【図２】
0003866030.tif 000003
【図３】
0003866030.tif 000004
【図４】
0003866030.tif 000005
【図５】
0003866030.tif 000006
【図６】
0003866030.tif 000007
【図７】
0003866030.tif 000008